(57)【要約】      （修正有）【課題】各種空気注入が必要な商品に適用し、製品上で直接、反覆して押せば、空気注入ができる装着型ポンプ装置を提供する。【解決手段】装着型ポンプ装置は、ポンプ本体１０、弁体２０からなる。ポンプ本体は弾性のあるゴム材質からなり、内部が中空の容器を形成し、ポンプ本体の上に弁体を設置し、ポンプ本体の開口に蓋体を設置する。弁体は、第一バルブ２１、第二バルブ２２からなり、第一バルブはポンプ本体の開口に設置され、第二バルブは開口に隣接するもう一面上に設置される。上述の素子により、装着型ポンプ装置は、直接空気を押し出す方式で、気体注入効果を達成し、空気ベッド、浮き輪、児童用プール等、各種製品に結合して使用できる。【選択図】図３
0003148735.tif 000002
【実用新案登録請求の範囲】
【請求項１】
装着型ポンプ装置であって、ポンプ本体、弁体からなり、
前記ポンプ本体は前記弁体を設置し、且つ、前記ポンプ本体は弾性のあるゴム材質からなり、内部が中空の容器を形成し、前記ポンプ本体の開口に蓋体を設置し、空気注入完了後、前記蓋体により前記開口を封閉し、
前記弁体は、前記ポンプ本体の押圧時、空気を空気注入が必要な製品に導引するもので、前記弁体は第一バルブ、第二バルブからなり、前記第一バルブは前記ポンプ本体の開口に設置され、前記第二バルブは開口に隣接するもう一面上に設置されることを特徴とする装着型ポンプ装置。
【請求項２】
前記蓋体をもう一つの構造で実施する時、内縁に螺紋を設置して、前記ポンプ本体の開口上端外縁に鎖合し、また、前記蓋体内に逆流防止弁を有し、前記逆流防止弁の頂端は外蓋を結合して、前記蓋体を前記ポンプ本体に鎖合後、気体が漏れにくいことを特徴とする請求項１に記載の装着型ポンプ装置。
【請求項３】
前記ポンプ本体の表面上に注入操作ボタンを設置し、空気を注入したい時、前記注入操作ボタンを指で押せば、空気注入動作が実行できることを特徴とする請求項１に記載の装着型ポンプ装置。
【考案の詳細な説明】
【技術分野】
【０００１】
本考案は、装着型ポンプ装置に関するものであって、特に、各種空気注入が必要な製品に適用し、直接、製品上で反覆して押せば、空気注入ができる装着型ポンプ装置に関するものである。
【背景技術】
【０００２】
空気ベッド、浮き輪、児童用プール等の空気注入が必要な製品は非常に多く、これらの製品は、不使用時は空気が注入されていないので、携帯や収納に便利で、空間を占有しない。使用時に、空気注入装置で、製品に空気を注入して膨らませる。
【０００３】
しかし、このような製品を購入する時、別途に空気入れや電動ポンプを購入しなければならない。また、空気入れや電動ポンプは使用後、使い道がなく、浪費である。
【０００４】
上述のように、別途に空気入れや電動ポンプを購入しなければならないことによる価格の上昇、空気入れや電動ポンプは使用後、放置するだけになり無駄であること、しかし、空気を注入して使用する商品は、空気入れや電動ポンプがないと使用できず、また、電動ポンプは電源により駆動されるので、使用地点に制限がある等の欠点がある。
【考案の開示】
【考案が解決しようとする課題】
【０００５】
本考案の目的は、各種空気注入が必要な商品に適用し、直接、製品上で、反覆して押せば、空気の注入が完成し、別途に空気入れや電動ポンプを購入する必要がない装着型ポンプ装置を提供することにある。
【０００６】
本考案のもう一つの目的は、新規の構造により、空気注入が必要な製品上に結合し、収納時に空間を占有せず、使用地点を制限せず、電源がないところでも使用でき、人工方式で空気注入できる装着型ポンプ装置を提供することにある。
【課題を解決するための手段】
【０００７】
本考案の装着型ポンプ装置は、ポンプ本体、弁体からなる。ポンプ本体は弾性のあるゴム材質からなり、内部が中空の容器を形成し、ポンプ本体の上に弁体を設置し、ポンプ本体の開口に蓋体を設置する。弁体は、第一バルブ、第二バルブからなり、第一バルブはポンプ本体の開口に設置され、第二バルブは開口に隣接するもう一面上に設置される。
【考案の効果】
【０００８】
本考案の装着型ポンプ装置は、別途に空気入れや電動ポンプを購入する必要がなく、収納時に空間を占有せず、使用地点を制限せず、電源がないところでも使用でき、人工方式で空気注入できるという長所がある。
【考案を実施するための最良の形態】
【０００９】
図１は本考案の立体構造図である。本考案の装着型ポンプ装置は、ポンプ本体１０、弁体２０からなる。
【００１０】
ポンプ本体１０は、弁体２０を設置し、ポンプ本体１０の開口に蓋体１１を設置する。空気注入完了後、蓋体１１で開口を封閉する。また、ポンプ本体１０は、弾性のあるゴム材質からなる。
【００１１】
弁体２０は、第一バルブ２１、第二バルブ２２からなり、第一バルブ２１はポンプ本体１０の開口に設置され、第二バルブ２２は開口に隣接するもう一面上に設置される。
【００１２】
図２は本考案の空気注入実施図である。ポンプ本体１０の表面上に注入操作ボタン１２を有し、空気を注入したい時、使用者は手で注入操作ボタン１２を押して、空気注入の動作を実行する。
【００１３】
図３は本考案の空気注入動作（１）図である。動作の実施前、第一バルブ２１と第二バルブ２２は閉合状態（Aで示される）で、空気注入動作時、使用者は、ポンプ本体１０を押し、この時、ポンプ本体１０内部の空気３が押圧され、第二バルブ２２が開き（Bで示される）、空気３が空気の注入を必要とする製品内に注入される。同時に、内部の空気圧力が平衡に達すると、第一バルブ２１が開く（Cで示される）。
【００１４】
図４は本考案の空気注入動作（２）図である。弁体２０は弾性があるので、空気３が製品に注入された後、第二バルブ２２はすぐに閉合状に回復し（Dで示される）、また、ポンプ本体１０は弾性があるゴム材質からなり、押圧後、元の構造体に戻り、元の構造に回復すると、第一バルブ２１が回復して閉合状になる（Eで示される）。ポンプ本体１０はこのような押圧を反覆した後、循環した空気注入ができる。空気注入動作は、工程A〜Eの順に実行される。
【００１５】
図５は本考案の空気抜き実施、及び、動作図である。注入した空気を抜きたい時、指、或いは、柱状物４で、ポンプ本体１０内の弁体２０を頂推し、第一バルブ２１、第二バルブ２２が同時に開いて、内部の空気３が外に釈放される。
【００１６】
図６と図７で示されるように、本考案は、直接、製品上に設置することができる。図中の製品を例とすると、装着型ポンプ装置をそれぞれ、空気ベッド５と浮き輪６に設置する。つまり、ポンプ本体は、各種空気注入製品に結合することができ、空気ベッド、浮き輪以外にも、児童用プール等に適用することができる。
【００１７】
図８と図９を参照すると、蓋体１１をもう一つの構造で実施する時、内縁に螺紋を設置して、ポンプ本体の開口上端外縁に鎖合する。また、蓋体１１内に逆流防止弁１３を有し、逆流防止弁１３の頂端は外蓋１４を結合して、蓋体１１をポンプ本体１０に鎖合後、気体が漏れにくい。
【００１８】
図９は蓋体のもう一つの構造内部図である。逆流防止弁１３は容置空間１３１内に設置されたばね１３２とボール１３３で、容置空間１３１頂端は通孔１３４を設置する。ボール１３３は通孔１３４の孔径より大きく、ばね１３２でボール１３３を支承して、通孔１３４で頂持し、逆流防止弁１３の一方からの進気を維持し、製品内部の空気が外に漏れるのを防止することができる。
【００１９】
公知技術と本考案を比較すると、公知技術は、製品の価格が高く、製品の購入時に、空気入れか電動ポンプも購入しなければならないこと、空気入れか電動ポンプを使用後、使うことがないので、浪費であること、空気入れか電動ポンプがなければ空気注入ができず、また、電動ポンプは電源により駆動するので、使用地点が制限されることが欠点であった。しかし、本考案により、以下のような長所が得られる。１．応用範囲が広くなり、例えば、空気ベッド、浮き輪以外にも、児童用プール等に適用することができる。２．新規の構造により、空気注入が必要な製品上に結合し、収納時に空間を占有せず、使用地点を制限せず、電源がないところでも使用でき、人工方式で空気注入できるので、使用が便利である。３．本考案は、製品に結合して、一体構造を形成し、直接、空気注入動作が行えるので、その他の空気注入器材を外接する必要がなく、製品の価格を抑えることができる。
【図面の簡単な説明】
【００２０】
【図１】本考案の立体構造図である。
【図２】本考案の空気注入実施図である。
【図３】本考案の空気注入動作（１）図である。
【図４】本考案の空気注入動作（２）図である。
【図５】本考案の空気抜き実施、及び、動作図である。
【図６】本考案の空気ベッドに応用する実施例図である。
【図７】本考案の浮き輪に応用する実施例図である。
【図８】本考案の蓋体のもう一つの構造実施例図である。
【図９】本考案の蓋体のもう一つの構造内部図である。
【符号の説明】
【００２１】
空気３
空気ベッド５
浮き輪６
ポンプ本体１０
蓋体１１
注入操作ボタン１２
逆流防止弁１３
外蓋１４
弁体２０
第一バルブ２１
第二バルブ２２
容置空間１３１
ばね１３２
ボール１３３
通孔１３４
【図１】
0003148735.tif 000003
【図２】
0003148735.tif 000004
【図３】
0003148735.tif 000005
【図４】
0003148735.tif 000006
【図５】
0003148735.tif 000007
【図６】
0003148735.tif 000008
【図７】
0003148735.tif 000009
【図８】
0003148735.tif 000010
【図９】
0003148735.tif 000011